(57)【要約】【課題】回路基板収納ケースに形成されている通風孔から針金などの挿入に起因したゴト行為を有効に防止すること。【解決手段】遊技機内部に設けられ遊技実行中に所定条件が満たされた場合に遊技状態を遊技者にとって有利な状態とする遊技用プログラムを記憶した記憶媒体ＲＯＭその他の電子部品ＣＰＵ・ＲＡＭが取り付けられた電子回路基板２４を収納する遊技機の回路基板収納ケース２５に係る。  この回路基板収納ケース２５は、回路基板収納ケース２５の蓋体２５３の所定領域Ａ２に設けられた複数の通風孔２８ｂと、通風孔２８ｂの形成されている所定領域Ａ２に対向しかつ所定の間隔を開けてケース内に設けられたファン２５９とを有することを特徴とする。【選択図】図２
2008006177.tif 000002
【特許請求の範囲】
【請求項１】
遊技機内部に設けられ遊技実行中に所定条件が満たされた場合に遊技状態を遊技者にとって有利な状態とする遊技用プログラムを記憶した記憶媒体その他の電子部品が取り付けられた回路基板を収納する遊技機の回路基板収納ケースであって、
この回路基板収納ケースの壁面のうち所定領域に設けられた複数の通風孔と、
当該通風孔の形成されている前記所定領域に対向しケース内に設けられたファンとを有することを特徴とする遊技機の回路基板収納ケース。
【請求項２】
前記ファンは、
回転板と、
当該回転板の一方の面であって、前記所定領域に対向する側の面に形成された複数の羽根部と、
前記回転板のうち前記羽根部同士の間の領域に形成された複数の貫通孔とを有することを特徴とする請求項１に記載の回路基板収納ケース。
【請求項３】
前記ファンの貫通孔及び前記回路基板収納ケースの壁面のうち前記所定領域に設けられた複数の通風孔は、相互に他方に対して形成パターンが異なることを特徴とする請求項２に記載の回路基板収納ケース。
【請求項４】
前記ファンは、ケース内部に設けられた駆動手段と予め接続されることよって、又は当該ケースが設置される前記遊技機の筐体に設けられた駆動手段と接続されることによって、前記駆動手段から駆動力が伝達されて回転することを特徴とする請求項３に記載の回路基板収納ケース。
【発明の詳細な説明】
【技術分野】
【０００１】
本発明は、スロットマシン、パチンコ遊技機等、遊技者が遊技媒体を用いて遊技する遊技機に内蔵される遊技用の回路基板を収納する回路基板収納ケースに関する。
【背景技術】
【０００２】
パチンコ遊技機やパチンコスロットに代表されるように、遊技媒体を用いて遊技者が遊技する遊技機では、遊技実行中に所定条件を満たすと遊技者に有利な特別遊技状態である大当たりとなり、遊技球やメダル等の遊技媒体を多量に獲得できる。遊技媒体は、種々の景品と交換できるため、遊技者は大当たり獲得を目指す。
【０００３】
大当たりになると、遊技機に組み込まれた可変表示装置に各種図柄の変動やキャラクターの出現により実行される様々な演出が表示される。
【０００４】
可変表示装置に表示される演出は、遊技機内部に実装された制御装置によって制御されるが、制御装置は、可変表示装置への演出の表示制御だけでなく、大当たりを引き当てるための大当たり抽選プログラムを実行する。大当たり抽選プログラムは、電子的制御に基づいて特定の乱数を引き当てた場合に大当たりとなるように設定されたプログラムである。
【０００５】
また、遊技機には各種電飾やスピーカが取り付けられているが、制御装置は、これらの電飾を光らせたり、演出に合わせて鳴り響く効果音をスピーカから出したりするといった制御も行う。そのために制御装置には、基本処理装置としてのＣＰＵ（Ｃｅｎｔｒａｌ  Ｐｒｏｃｅｓｓｉｎｇ  Ｕｎｉｔ）と、ＣＰＵでの処理に用いられるデータを一時記憶するＲＡＭ（Ｒａｎｄｏｍ  Ａｃｃｅｓｓ  Ｍｅｍｏｒｙ）と、ＣＰＵにて処理する前記大当たり抽選プログラムを含む各種プログラムその他のプログラムを記憶したＲＯＭ（Ｒｅａｄ  Ｏｎｌｙ  Ｍｅｍｏｒｙ）とが回路基板上に備えられている。
【０００６】
そして、ＣＰＵは、ＲＡＭに記憶されているデータやＲＯＭに記憶されているプログラムを必要に応じて読み出すことで、各種制御を実行する。ＣＰＵ・ＲＡＭ・ＲＯＭ（以下、電子部品）が取り付けられている回路基板は、遊技機内部に取り付けられており、通常は遊技機の開閉蓋を開けないと触れることができない。
【０００７】
一方、大当たりの引き当て率は、各遊技機の内部に備えられている設定装置を操作することで、ホール側で変更することができる。設定装置は、遊技機における各種入賞毎の当選確率を、例えば、設定値１〜６までの６段階の如く複数の段階の何れかに設定する装置である。通常、設定値が大きいほど、当選確率を高められる。設定値は、前記ＲＡＭに記憶される。
【０００８】
また、設定値の変更（以下、設定変更という）は、機種にもよるが、遊技機の電源が落ちている状態で設定変更用のキーを入れ、その後電源を入れた状態で設定装置の操作ボタンを操作することで行う。
【０００９】
当該設定変更は、遊技機本体の電源投入時にのみ行えるように構成されていることから、店舗の営業時間内に行われることはない。通常、次の営業日分の設定は、前日又は当日の入賞率の設定データ・店舗の全遊技機における当選確率の分布・遊技機を設置してからの日数等を参考にして、閉店後、１台１台手作業で行われる。
【００１０】
ところで大当たりすると、既述のように遊技球やメダル等の遊技媒体を多量に獲得できるため、いわゆる「ゴト師」と呼ばれる者の不正行為（いわゆるゴト行為）への対策をホール側は取らねばならない。最近はグループが組織立って悪業をするケースも増えており、不正行為により騙し取られる金額は、以前とは桁が違ってきている。
【００１１】
不正行為の主たるものとしては、ＲＯＭに記憶されているプログラムの改竄が挙げられる。当該不正行為を実行するために、開店中に店内の例えばトイレの換気穴から天井に上がって閉店を待ち、閉店後従業員が居なくなってからホール内に忍び込んだり、又は店員を抱き込んだりすることで、不正行為の実行用に予め改竄されたプログラムを含む電子部品と基盤ごと交換する。そして、翌日、当該交換された遊技機で遊技をするのである。
【００１２】
このような不正行為の対策を図るためと、回路基板に取り付けられている電子部品は発熱し、そのままであると当該電子部品に触れた作業者が火傷を負う危険性があるのでこれを回避するために、電子部品は、回路基板ごと所定のケース（以下、回路基板収納ケースという）に収納されて遊技機本体に取り付けられる。
【００１３】
また、電子部品を正常に機能させるには、一定の温度範囲での使用が要求される。このため回路基板収納ケースには、通風孔が多数形成され、電子部品からの発熱により、回路基板収納ケース内が規定温度以上になることを防止する。
【００１４】
しかしこの通風孔が、不正行為に利用される可能性を孕んでいるという。すなわち遊技機にはスピーカの出力孔など、遊技機の外部から内部に通じる通し孔が形成されており、ゴト師はこの通し孔から遊技機内部に針金その他の小さい抵抗の導線を入れ、回路基板収納ケースの通風孔を経由して、回路基板上の電気回路の二点間をこれら針金等で接続することにより結線的にショートさせ、遊技機全体を電源投入直後の状態（又は電源を一旦落として入れ直した状態）にする。そして、その上で設定変更用の信号配線をショートさせて設定変更信号（多くは接点信号）を発生させることにより、電子部品に通常の設定値の変更操作がなされたものと認識させて不正に「設定値」を変更するという。
【００１５】
このような不正行為は、例えば監視カメラの前に立って監視者の視界を遮る者、見張り役となる者、不正行為の設定作業を行う者等、複数人で役割分担を決めて実行することで比較的容易になるため、開店中であっても実行されるケースが少なくない。
【００１６】
そして、一旦遊技機を高設定に変更してしまえば、外見上は普通にゲームを楽しんでいるようにしか見えないため、不正が行われたことを発見するのは困難である。したがって、ゲームが長時間継続して行われ、不正行為者にとっては、詐取できる金額が大きくなる。
【００１７】
このように針金や導線を用いた不正行為は、天井裏に忍び込んだり、ホールの店員を抱え込んだりする場合よりもリスクを低減することができるので、近年増加傾向にある。
【００１８】
その結果、不正行為による被害が店舗の経営上看過できない状態に及ぶケースも稀ではない。また、不正行為は当然に犯罪を形成するものであるから、このような不正行為の防止、摘発のためには、かなりの支出及び労力を考慮しなければならない。
【００１９】
【特許文献１】特開平６−１５４３８９号公報
【発明の開示】
【発明が解決しようとする課題】
【００２０】
本発明は、上記実情に鑑みて発明されたものであり、その解決しようとする課題は、回
路基板収納ケースに形成されている通風孔から針金などの導線を挿入することに起因したゴト行為を有効に防止することが可能な技術を提供することにある。
【課題を解決するための手段】
【００２１】
本発明は、前記課題を解決するため、以下の手段を採用した。
【００２２】
すなわち本発明の回路基板収納ケースは、遊技機内部に設けられ遊技実行中に所定条件が満たされた場合に遊技状態を遊技者にとって有利な状態とする遊技用プログラムを記憶した記憶媒体その他の電子部品が取り付けられた回路基板を収納する遊技機の回路基板収納ケースであって、この回路基板収納ケースの壁面のうち所定領域に設けられた複数の通風孔と、当該通風孔の形成されている前記所定領域に対向しケース内に設けられたファンとを有することを特徴とする。
ファンは適宜の駆動手段によって回転するようにする。
【００２３】
回路基板収納ケースの壁面に設けられた複数の通風孔を介して、外気がケース内に流入するようになるため、電子部品から発する熱が緩和される。
【００２４】
また、当該通風孔に対向されてケース内に設けられたファンが駆動手段によって回転されると、ファンが回転していないときに比べ、ケース内において多量の外気の流通を期待できるから、ケース内の温度を下げるのに役立つ。
【００２５】
ファンが回転していれば、回路基板収納ケースの通風孔からゴト師が針金や導線を入れても針金や導線の進入が阻まれる。
【００２６】
さらにファンは、回転板と、当該回転板の一方の面であって、前記所定領域に対向する側の面に形成された複数の羽根部と、前記回転板のうち前記羽根部同士の間の領域に形成された複数の貫通孔とを有するようにしてもよい。なぜならば、このような構成にすることで、ファンによってケース内に流入した外気は、羽根部同士の間の領域に形成された複数の貫通孔を経由して、ファンの裏側にまで満遍なく行き渡る。このため、ケース内の温度を一層効果的に下げることができる。
【００２７】
加えて前記ファンの貫通孔及び前記回路基板収納ケースの外壁に設けられた通風孔は、相互に他方に対して形成パターンが異なるように形成すると好適である。このようにすると、ファンが停止した状態にあるときに通風孔及び貫通孔が同軸上にあることは可能性としては低いため、ファンが駆動していないときに、ゴト行為により針金や導線をケースの通風孔に譬え入れることができたとしても、ファンの貫通孔にまで挿入することは極めて難しいからである。
【００２８】
前記ファンは、ケース内部に設けられた駆動手段と予め接続されることよって、又は当該ケースが設置される前記遊技機の筐体に設けられた駆動手段と接続されることによって、前記駆動手段から駆動力が伝達されて回転するようにしてもよい。ファンがケース内部に設けられた駆動手段と予め接続された状態にあれば、ケースが設置される遊技機の筐体にケースを設置するだけの簡単な作業でよく、遊技機の筐体に設けられた駆動手段とファンとを接続する場合は、異なった遊技機に駆動手段を使用することも可能であるから部品の共有化を図れる。
【発明の効果】
【００２９】
本発明の回路基板収納ケースによれば、ゴト行為によってケースの通風孔から針金や導線が万一入れられてもファンによってその進入が阻まれるので、ゴト行為を有効に防止することができる。
【発明を実施するための最良の形態】
【００３０】
以下、本発明に係る遊技機の回路基板収納ケースの実施形態を図面を参照しながら説明する。
【００３１】
図１に示すように、遊技機であるパチンコスロット１０は、その筐体１１の前面に上扉１２ａと下扉１２ｂとを有する。各扉１２ａ，１２ｂは、それぞれ一対の扉ヒンジ１６，１６（図面では下扉１２ｂのヒンジ１６のみ示す。）により回動自在に取り付けられている。
【００３２】
この明細書で前とは、図１に正対した場合、すなわち遊技者とパチンコスロット１０とが対向した場合の遊技者の側をいい、後ろとは同じく遊技者の向こう側をいい、上・下及び左・右は同じく遊技者の上側、下側、左側及び右側をいうことにする。
【００３３】
上扉１２ａには、３個の表示窓１３が設けられており、これらの窓を介して、筐体１１内に設けられるリールユニット２６の第１リール１４ａ、第２リール１４ｂ、第３リール１４ｃを見ることができる。各リールには多数の図柄が表示されている。そして一つの表示窓１３から１リールにつき３個の図柄を見ることができ、表示窓１３に記した図示しない所定の入賞有効ライン上で第１〜第３リールが所定図柄で揃うことにより、遊技者にとって有利な特別遊技状態である大当たりが発生する。なお、入賞有効ライン上で第１〜第３リールが所定図柄で揃うことを所定条件が揃ったということにする。
【００３４】
下扉１２ｂには、図示しないゲームの開始時に操作される１枚ベットボタン，ＭＡＸベットボタン，ペイアウトボタン，メダルを投入するためのメダル投入口，メダルベットが行われた後に操作される押下式スタートレバー，押下式スタートレバーの押下操作により回転し始めるリールの動作を停止させるための第１〜第３ストップボタン等が設けられている。さらに、下扉１２ｂの下部には、メダル受け皿，配当メダル払い出し口，灰皿等の収納部１７が設けられている。
【００３５】
また、図１からわかるように筐体１１内には、電子回路基板２４が、回路基板収納ケース２５に収納された状態で、リールユニット２６よりも奥になるように取り付けられる。リールユニット２６は、支持枠２７により筐体１１の内壁に着脱自在に取り付けられる。
【００３６】
電子回路基板２４には、図示はしないが、既述したＲＯＭ，ＣＰＵ，ＲＡＭなどの各種電子部品が実装されている。また、電子回路基板２４には後述する駆動手段としてのステッピングモータ２５７を通すモータ通し孔２４１が形成されている（図２，図３参照）。
【００３７】
回路基板収納ケース２５は、透光性を有するＡＢＳ樹脂その他のポリスチレン系樹脂からできており、電子回路基板２４を収納するケース本体２５１と、ケース本体２５１に対し回動可能に取り付けられる板状の蓋体２５３とからなり、蓋体２５３を閉じたときに偏平な直方体形状を呈するようになっている。
【００３８】
ケース本体２５１は、電子回路基板２４を収納できるように一方に開口するほぼ箱形状をしている。すなわちケース本体２５１は、底壁面２５１ａと、その周縁から立ち上がる周壁面２５１ｂとからなる（図２，３参照）。
【００３９】
底壁面２５１ａには、その少なくとも四隅に電子回路基板２４を支持する支持脚２５５が複数形成されているとともに、支持脚２５５よりも幾分厚みのあるステッピングモータ２５７が取り付けられている（図３参照）。
【００４０】
支持脚２５５は、偏平な截頭円錐形状をしており、その頭部２５５ａに電子回路基板２４を載置し、適宜の接着剤やネジその他の固定手段で電子回路基板２４を固定する。なお、支持脚２５５のことを截頭支持脚２５５と呼称する。截頭支持脚２５５で電子回路基板２４を支持すると電子回路基板２４は底壁面２５１ａに対して平行になるように、截頭支持脚２５５は総て同じ高さとされている。
【００４１】
ステッピングモータ２５７は、モータ本体２５７ａと、このモータ本体に回転自在に支持され、モータ本体２５７ａの一端から突出される回転軸２５７ｂとからなる。
ステッピングモータ２５７を底壁面２５１ａに取り付けた後、電子回路基板２４を截頭支持脚２５５に載置すると、回転軸２５７ｂが電子回路基板２４のモータ通し孔２４１から突出される。
【００４２】
当該突出した回転軸２５７ｂには、ファン２５９が電子回路基板２４から幾分離された状態で取り付けられる。ステッピングモータ２５７は、図示しない電源装置により電源が入れられるとそれに合わせて駆動し、切られると停止するようになっている。
なお、回路基板収納ケース２５を筐体１１に取り付けると、電源の投入に合わせてステッピングモータ２５７に電流が流れる準備が調うようになっている。
【００４３】
ファン２５９は、その平面形状が円形をしており、その中心部に設けられた軸貫通孔２６０にステッピングモータ２５７の回転軸２５７ｂが圧入される（図３参照）。
【００４４】
またファン２５９は、回転円板２５９ａと、回転円板２５９ａの一方の面である上表面に円周方向で等間隔に形成され、回転円板２５９ａの中心から回転円板２５９ａの周縁に向けて放射状に延びる複数（この実施形態では４枚）の羽根部２５９ｂと、回転円板２５９ａのうち羽根部２５９ｂによって仕切られた４つのエリアＡ１に多数貫通して設けられた流通孔２５９ｃとを有する。エリアＡ１は、４分の１円とされている。
【００４５】
ケース本体２５１の周壁面２５１ｂのうち、回路基板収納ケース２５を筐体１１に取り付けたときに上側又は左右側方に位置する上側壁面２５１ｂ１及び左の側壁面２５１ｂ２には、流通孔２５９ｃよりも小さめの通風孔２８ａが複数ランダムに形成されている。しかし、両孔２８ａ・２５９ｃは同じ大きさであっても、また流通孔２５９ｃよりも通風孔２８ａの方が大きめであってもよい。
【００４６】
ケース本体２５１の周壁面２５１ｂに設けられる通風孔２８ａの形成箇所は、上側壁面２５１ｂ１及び左の側壁面２５１ｂ２に限られない。要は、回路基板収納ケース２５を筐体１１に取り付けたときに、ゴト師がそれらの通風孔２８ａから針金その他の小さい抵抗の導線を物理的に入れ難い箇所であって、空気の流通が好適に行える箇所であればどこでもよい。
【００４７】
蓋体２５３はケースヒンジ２９を介してケース本体２５１に取り付けられている。そして蓋体２５３には、蓋体２５３を閉じたときにファン２５９と対向する位置でかつファン２５９とほぼ同じ大きさで同じ形状の円形をした所定領域Ａ２に通風孔２８ｂが複数形成されている。なお、所定領域Ａ２を図面では２点鎖線で示す。所定領域Ａ２は、多数の通風孔２８ｂを形成することで蓋体２５３に占められる領域である。なお、ファン２５９よりも所定領域Ａ２を小さくしても大きくしてもよい。
【００４８】
そして、ファン２５９の回路基板収納ケース２５内における位置は、蓋体２５３を閉じた時に蓋体２５３の内面とファン２５９の羽根部２５９ｂとの間が所定の間隔ｓとなるようにされている（図３）。間隔ｓは、ファン２５９が回転したときに回路基板収納ケース２５内に外気が流通するのに最適な隙間となるように設定されている。
【００４９】
次に作用効果を説明する。
回路基板収納ケース２５は、そのケース本体２５１及び蓋体２５３にそれぞれ複数の通風孔２８ａ及び２８ｂが形成されているので、これらの通風孔２８ａ，２８ｂを介して、外気がケース２５内で流通するようになる。したがって、それだけでも電子回路基板２４の電子部品やステッピングモータ２５７から発する熱による回路基板収納ケース２５内の温度の上昇が抑制される。
【００５０】
加えて、回路基板収納ケース２５は、その蓋体２５３に形成されている通風孔２８ｂに対向して設けられているファン２５９がステッピングモータ２５７によって駆動力が伝達されて回転するので、ファン２５９の回転方向に応じて外気を回路基板収納ケース２５に対して強制的に取り入れたり又は排出したりすることができる。
【００５１】
図３では、ファン２５９が所定の方向に回転することで、外気が蓋体２５３の通風孔２８ｂから回路基板収納ケース２５に入り込んで回路基板収納ケース２５内を流通し、その間に回路基板収納ケース２５内の熱を吸収し、その後、ケース本体２５１の通風孔２８ａから回路基板収納ケース２５の外部へ出て行く状態を矢印ａ１で示している。
【００５２】
なお、ファン２５９を逆方向に回転することで、回路基板収納ケース２５内に貯まっている高温の空気を回路基板収納ケース２５から排出することができる。この場合の回路基板収納ケース２５内の空気の流れは、先ほどとは反対でケース本体２５１の空気がファン２５９によって通風孔２８ｂから押し出されるようにして排出され、当該押し出された分だけ空気が通風孔２８ａ経由で回路基板収納ケース２５内に流入するようになる（図３の矢印ａ１と逆方向に空気が流入する。）。ファン２５９が回転すると、ファン２５９が回転していないときよりも多量の外気が回路基板収納ケース２５内に入り込む。したがって、回路基板収納ケース２５内の温度を一層効果的に下げることができる。
【００５３】
また、回路基板収納ケース２５の蓋体２５３に形成された通風孔２８ｂからゴト師が針金や導線を入れるゴト行為を行っても、ファン２５９は、蓋体２５３が閉じている状態では通風孔２８ｂと対向状態にあるばかりか、その時にファン２５９が回転していれば、針金や導線が、ファン２５９の羽根部２５９ｂに当たるので、針金や導線の進入を容易に阻むことができる。
【００５４】
さらにファン２５９が回転することで回路基板収納ケース２５に流入した外気は、ファン２５９の多数の流通孔２５９ｃを経由して、電子回路基板２４の裏側にまで満遍なく行き渡る。このため、回路基板収納ケース２５内の温度を一層効果的に下げることができる。
【００５５】
加えてファン２５９の流通孔２５９ｃ及び蓋体２５３に設けられた通風孔２８ｂは、相互に他方に対して形成パターンが異なり、既述のように流通孔２５９ｃよりも通風孔２８ｂは小さめでランダムに形成されているから、単位面積当たりの両孔の形成個数も相違する。よってファン２５９が停止した状態にあるときに通風孔２８ｂ及び流通孔２５９ｃが同軸上にあることは可能性としては極めて低い。このため、ファン２５９が駆動していない状態において、ゴト行為により針金や導線を回路基板収納ケース２５の通風孔２８ｂに譬え入れることができたとしても、針金や導線をファン２５９の流通孔２５９ｃに挿入することは極めて難しくなる。
【００５６】
また、回路基板収納ケース２５の通風孔２８ａは、回路基板収納ケース２５を筐体１１に取り付けたときにゴト師がそれらの通風孔２８ａから針金その他の小さい抵抗の導線を元来入れ難い箇所に形成してあるため、通風孔２８ａ経由で針金や導線をケース内に入れ
ること自体不可能に近い。
【００５７】
このように回路基板収納ケース２５によれば、ゴト行為によってケースの通風孔２８ａや２８ｂから針金や導線が入れられることはまずあり得ない。したがってゴト行為を有効に防止することができる。
【００５８】
なお、本発明は、上述の図示例にのみ限定されるものではなく、本発明の要旨を逸脱しない範囲内において種々変更を加え得ることは勿論である。
【００５９】
例えば、上記説明では、回路基板収納ケース２５内に電子回路基板２４、ファン２５９及びステッピングモータ２５７を収納したものを例示したが、電子回路基板２４及びファン２５９を回路基板収納ケース２５に収納し、ステッピングモータ２５７は筐体１１に設け、回路基板収納ケース２５を筐体１１に取り付けたときにステッピングモータ２５７とファン２５９とが接続されるような構造にしてもよい。
【００６０】
一般に回路基板収納ケース２５を新しいものと交換する場合、一部にのみ欠陥がある場合であっても、回路基板収納ケース２５はユニットとして取り扱われるから欠陥のない部品まで廃棄の対象とされる。
【００６１】
しかし、ステッピングモータ２５７を回路基板収納ケース２５から分離すると、例えば回路基板収納ケース２５の電子回路基板２４に故障を生じた場合、新しい回路基板収納ケース２５と交換してもステッピングモータ２５７はそのまま使用できるので、部品を無駄に廃棄する必要がない。反対にステッピングモータ２５７だけが故障した場合は、ステッピングモータ２５７の交換だけで済む。
【００６２】
反対に既述のように、回路基板収納ケース２５内に、電子回路基板２４は元より、ステッピングモータ２５７と、ファン２５９とを設けたものであれば、筐体１１に回路基板収納ケース２５を取り付けるだけの簡単な作業で済み、ステッピングモータ２５７と、ファン２５９との接続は不要であるため、取り付けに手間が掛からない。
【００６３】
また、上記の実施形態では本発明の回路基板収納ケース２５をパチンコスロットに適用ししたものを例示したが、パチンコ遊技機に適用できるのはいうまでもない。
【００６４】
パチンコ遊技機に適用する場合において、例えば、パチンコ遊技機の役物（例えば権利物の権利発生用アタッカー）の動力源としてステッピングモータ２５７を兼用することも可能である。その場合、ステッピングモータ２５７のモータ本体２５７ａの回転軸２５７ｂの両端を使用できるように回転軸２５７ｂの両端をステッピングモータ２５７のモータ本体２５７ａから突出させ、そのうちの一方にファン２５９を他方にパチンコ遊技機の役物を取り付けて、ファン２５９及び役物を回転する。このようにすることで、モータを兼用できるため部品点数の削減に有効である。
【００６５】
加えてファン２５９の流通孔２５９ｃは、ゴト行為防止対策を強化するためにはなくてもよいが、その場合、回路基板収納ケース２５内における空気の流通性を高めるために、ステッピングモータ２５７の回転数を高めたり、回路基板収納ケース２５の通風孔２８ａや蓋体２５３に形成されている通風孔２８ｂの数や径を大きくすることが望ましい。
【図面の簡単な説明】
【００６６】
【図１】本発明に係る遊技機の回路基板収納ケースが適用されるパチンコスロットの外観を示す分解斜視図である。
【図２】回路基板収納ケースをその蓋体を開いた状態で示す斜視図である。
【図３】図２の蓋体を閉じた状態でのＩＩＩ−ＩＩＩ線拡大断面図である。
【図４】ファンの平面図である。
【図５】回路基板収納ケースの蓋体の平面図である。
【符号の説明】
【００６７】
１０  パチンコスロット（遊技機）
１１  筐体
１２ａ  上扉
１２ｂ  下扉
１３  表示窓
１４ａ  第１リール
１４ｂ  第２リール
１４ｃ  第３リール
１６  扉ヒンジ
１７  収納部
２４  電子回路基板（回路基板）
２５  （回路基板収納ケース）
２６  リールユニット
２７  支持枠
２８ａ  ケース本体に形成されている通風孔
２８ｂ  蓋体に形成されている通風孔（通風孔）
２９  ケースヒンジ
２４１  モータ通し孔
２５１  ケース本体
２５１ａ  底壁面
２５１ｂ  周壁面
２５１ｂ１  上側壁面（壁面）
２５１ｂ２  側壁面（壁面）
２５３  蓋体
２５５  截頭支持脚
２５５ａ  截頭支持脚の頭部
２５７  ステッピングモータ（駆動手段）
２５７ａ  モータ本体
２５７ｂ  回転軸
２５９  （ファン）
２５９ａ  回転円板（回転板）
２５９ｂ  羽根部
２５９ｃ  流通孔（回転板の貫通孔）
２６０  軸貫通孔
Ａ１  エリア（回転円板のうち羽根部同士の間の領域）
Ａ２  蓋体の所定領域（所定領域）
ａ１  空気の流れ方向を示す矢印
ｓ  蓋体の所定領域とファンとの間の所定の間隔（所定の間隔）
【図１】
2008006177.tif 000003
【図２】
2008006177.tif 000004
【図３】
2008006177.tif 000005
【図４】
2008006177.tif 000006
【図５】
2008006177.tif 000007